(57)【要約】      （修正有）【課題】立体形状のままで薄くコンパクトに収納することができ、持ち運びや保管に便利なメガホンを提供する。【解決手段】先太りの２面を利用した筒状メガホンを利用し、中間部の上から力を加えることで、適度に安定した立体形状の筒状メガホンを作成することが可能となり、胴部の一辺を直線状にし、他辺を一辺側に屈折した二つの直線状にする。【選択図】図６
2015163223.tif 000002
【特許請求の範囲】
【請求項１】
第１のシート部と第２のシート部が相対向して設けられている第１のシート部上で、離れて対向する１対のシート縁部がそれぞれ第２のシート部のシート縁部と繋げられていて、当該繋げられた１対のシート縁部を挟んで拡開することで一端部が大口径となり他端部が小口径となる筒体に広がる扁平な筒状メガホンにおいて、胴部を形成するシート部の一対のシート縁部の一方が一端部から他端部まで延びる第１の直線部となされ、他方が一端部から他端部の間における所定の位置まで第１の直線部に漸次近づくように延びる第２の直線部と、また所定の位置から他端部まで直線状に延びる第３の直線部となされ、当該第２の直線部の延長線と第３の直線部の延長線との交点が、第２の直線の一端部側の端点と第３の直線の他端部側の端点を結んだ直線より、第１の直線部側にあることを特徴とする扁平な筒状メガホン。
【請求項２】
請求項１に記載された扁平な筒状メガホンにおいて、胴部を形成する１対のシート縁部の一方である第１の直線部と他方である第２の直線部との間のシート部上に、また第１の直線部と第３の直線部との間のシート部上に、一端部から他端部まで折筋が入れられていることを特徴とする扁平な筒状メガホン。
【請求項３】
請求項１あるいは請求項２に記載された扁平な筒状メガホンにおいて、前記折筋が一端部から他端部の間における前記所定の位置まで第１の直線部に漸次近づくように延びる第１の折筋部と、また所定の位置から他端部まで直線状に延びる第２の折筋部となされ、且つ当該第１の折筋部の延長線と第２の折筋部の延長線の交点が、第１の折筋部の一端部側の端点と第２の折筋部の他端部側の端点を結んだ直線より、第１の直線部側にあることを特徴とする扁平な筒状メガホン。
【請求項４】
請求項３に記載された扁平な筒状メガホンにおいて、前記折筋が胴部を形成する１対のシート縁部の一方である第１の直線部からの距離と他方である第２の直線部と第３の直線部からの距離で等距離にある中間線上に設けられていることを特徴とする扁平な筒状メガホン。
【請求項５】
請求項１あるいは請求項２あるいは請求項３あるいは請求項４に記載された扁平な筒状メガホンにおいて、前記所定の位置で幅方向に延びる新たな折筋が前記シート縁部の他方からシート部の幅方向の中央部まで、あるいは幅方向全長に渡って設けられていることを特徴とする扁平な筒状メガホン。
【発明の詳細な説明】
【技術分野】
【０００１】
本発明はメガホンおよび拍子木およびうちわに関する。
【背景技術】
【０００２】
従来からメガホンに関しては、様々な観点から改良が重ねられている。
特に、近年においては、省電力、エコが日常生活のあらゆる場面で求められることもあり、この点を考慮したよりユーザーフレンドリーなエコ製品の構造を消費者に提案することが強く望まれている。
【先行技術文献】
【特許文献】
【０００３】
【特許文献１】特開２０１１−２３７８３５号公報
【特許文献２】特開２００３−２９２０６３号公報
【特許文献３】特開平１０−３９８７２号公報
【特許文献４】特開２０１３−８０１９１号公報
【特許文献５】実用新案登録第３１８１４８７号広報
【発明の開示】
【発明が解決しようとする課題】
【０００４】
本願発明の明細書において、先端部と一端部を同義語とする。また後端部と他端部と口元部を同義語とする。
本願発明では
（１）「ぺったんこ」になり携帯、保管に便利なメガホンを求めたい。
特許文献１では口元を見ればわかるように、メガホン自体が５角形である。よって５角形の状態ではそのままではぺったんこにならない。ぺったんこにするには、５角形のメガホン自体を壊してしまうか展開図の状態に戻すしかない。
また特許文献２、特許文献３でも同じである。
（２）「ぺったんこ」になったメガホンがワンタッチで（ワングローブで）小さな力で３Ｄの立体メガホンに拡開するメガホンを求めたい。
特許文献５では拡開するための補助構造（折筋）は設けられていない。
資材等の柔らかさのみで拡開されるようになっていて、加えた力をなくするとペッタンコの状態に戻りやすく、湾曲した状態がそのままでは維持されにくい。
一方、本願発明の中で折筋が設けられているものは、折筋が一度折られると折癖がつき、変形した状態が維持されやすい。
また、ペッタンコに閉じられるので、薄くなり鞄等にしまうことができる。
（３）変形しにくい素材の板紙等でも小さな力で拡開するメガホンを求めたい。
一度に全体を拡開しようとすると力が必要であるので、まず部分的に例えば所定の位置にメガホンを握る力が集中して加えられ、所定の位置のメガホンが先に拡開され、次に所定の位置以外の部分を拡開する（手作業で折筋等を拡開する）ということが可能なメガホンを開発したい。（実施例１）
（４）「メガホンを握る部分の指置き」のための指が滑りにくい「窪み」も検討したい。
（実施例２）
ただし窪みを２つ設けることは、「指をあてる位置」を消費者（ユーザー）に指定することであり、「手の大きさや指の大きさがそれぞれ人ごとに異なる一般のユーザーに対して「使いづらい」という評価を受ける可能性がある。（ただそれでいいという人にはそれでも構わない。）
（５）特許文献４においては、メガホンの胴部の「２つの周縁部がともに」、メガホンの内側に折れ曲がっている形状は本願発明と同じように「指が滑りにくい」「メガホンの所定の位置が優先的に拡開されやすい」という効果があるが、「生産上に問題」がある。つまり、生産するには、２枚のシート部を別々に作り、「角度の異なる２辺で作られた」接合部をそれぞれ手作業で貼り合わせる「面倒な作業」を２回も行うしかない。
一方本願発明は、図１１等で、向かって下側にある「一方」は直線状である。また「他方」がメガホンの内側に向かって凸状に折れ曲がっている。「一方」は直線状であるので、２枚のシート部を１枚の展開図（シート部）につくり、「一方の直線」に沿ってシート部を折返すだけでこの面倒な「接合」が簡単にできる。よってこの「面倒な作業」は１回のみで済む。    
（６）この「面倒な作業」で接合方法を「差し込み式」の繋がりにすれば、ユーザー（消費者）が印刷されたメガホンの両面を見たうえで、「好きな面を表面にして」、自分の好みで組み立ててメガホンとして接合してくれる。
また、ユーザー（消費者）が、途中で差し込みを抜いてひっくり返して「裏面を表面にして」メガホンとして使うこともできる。（ユーザーが表裏両面のリバーシブルとして使うことができる）
（７）メガホンを握った時シート部の表面が「つぶれにくい」もの（握る力が折筋の変化に転換されるもの）を求めたい。
円錐形、円筒形のメガホンは、「指や手に触れる場所」は「曲面状の単点」である。よって力が単点（１点）に集中し壊れやすい。
「円筒形の面を指や手でつぶしてはいけない」という精神的配慮が強要される。よって自由にメガホンに力を入れて握れず「使いづらさ」を感じさせる。
一方、本願発明は、「胴部の周縁部（折られた丈夫な折筋等）」を持つだけなので、前記精神的配慮の必要性がない。手が触れる胴部の周縁部は２枚のシート部を繋げる、「厚さが２倍になった」丈夫な辺であり、またたたいた場合でも、「折筋と折筋の間の広い平面」である。力が１点に集中せず、広い面に力が分散される。
（８）メガホンを２個たたき合う、または１個を自分の手や足にぶつける拍子木としても使えるメガホンを求めたい。
上記（１）から（８）の内容はすべて本願発明で完成されたものであり、本願発明の効果として後述し記載した。
【課題を解決するための手段】
【０００５】
＜実施例１＞
第１のシート部と第２のシート部が相対向して設けられている第１のシート部上で、離れて対向する１対のシート縁部がそれぞれ第２のシート部のシート縁部と繋げられていて、当該繋げられた１対のシート縁部を挟んで拡開することで一端部が大口径となり他端部が小口径となる筒体に広がる扁平な筒状メガホンにおいて、胴部を形成するシート部の一対のシート縁部の一方が一端部から他端部まで延びる第１の直線部となされ、他方が一端部から他端部の間における所定の位置まで第１の直線部に漸次近づくように延びる第２の直線部と、また所定の位置から他端部まで直線状に延びる第３の直線部となされ、当該第２の直線部の延長線と第３の直線部の延長線との交点が、第２の直線の一端部側の端点と第３の直線の他端部側の端点を結んだ直線より、第１の直線部側にあることを特徴とする扁平な筒状メガホンＸ１が望ましい。
扁平な筒状メガホンＸ１において、胴部を形成する１対のシート縁部の一方である第１の直線部と他方である第２の直線部との間のシート部上に、また第１の直線部と第３の直線部との間のシート部上に、一端部から他端部まで折筋が入れられていることを特徴とする扁平な筒状メガホンＸ２が望ましい。
扁平な筒状メガホンＸ１あるいは扁平な筒状メガホンＸ２において、前記折筋が一端部から他端部の間における前記所定の位置まで第１の直線部に漸次近づくように延びる第１の折筋部と、また所定の位置から他端部まで直線状に延びる第２の折筋部となされ、且つ当該第１の折筋部の延長線と第２の折筋部の延長線の交点が、第１の折筋部の一端部側の端点と第２の折筋部の他端部側の端点を結んだ直線より、第１の直線部側にあることを特徴とする扁平な筒状メガホンＸ３が望ましい。
扁平な筒状メガホンＸ３において、前記折筋が胴部を形成する１対のシート縁部の一方である第１の直線部からの距離と他方である第２の直線部と第３の直線部からの距離で等距離にある中間線上に設けられていることを特徴とする扁平な筒状メガホンＸ４が望ましい。
扁平な筒状メガホンＸ１あるいは扁平な筒状メガホンＸ２あるいは扁平な筒状メガホンＸ３あるいは扁平な筒状メガホンＸ４において、前記所定の位置で幅方向に延びる新たな折筋が前記シート縁部の他方からシート部の幅方向の中央部まで、あるいは幅方向全長に渡って設けられていることを特徴とする扁平な筒状メガホンＸ５が望ましい。
＜実施例２＞
第１のシート部と第２のシート部が相対向して設けられている第１のシート部上で、離れて対向する１対のシート縁部がそれぞれ第２のシート部のシート縁部と繋げられていて、当該繋げられた１対のシート縁部を挟んで拡開することで一端部が大口径となり他端部が小口径となる筒体に広がる扁平な筒状メガホンにおいて、胴部の縁部を形成する一対のシート縁部の一方と他方の間のシート部上に折筋が設けられていることを特徴とする扁平な筒状メガホンＹ１が望ましい。
扁平な筒状メガホンＹ１において、前記折筋が一端部から他端部の間における所定の位置まで第１の直線部に漸次近づくように延びる第１の折筋部と、所定の位置から他端部まで直線状に延びる第２の折筋部に分けられ、第１の折筋部の延長線と第２の折筋部の延長線との交点が、第１の折筋部の一端部側の端点と第２の折筋部の他端部側の端点を結んだ直線より一対のシート縁部の一方側にあることを特徴とする扁平な筒状メガホンＹ２が望ましい。
扁平な筒状メガホンＹ１あるいは扁平なメガホンＹ２において、前記折筋部が胴部を形成する一対のシート縁部の一方の第１の直線部と他方である第２の直線部との中間線上に、また第１の直線部と第３の直線部との中間線上に設けられていることを特徴とする扁平な筒状メガホンＹ３が望ましい。
扁平な筒状メガホンＹ１あるいは扁平な筒状メガホンＹ２あるいは扁平な筒状メガホンＹ３において、前記所定の位置で幅方向に延びる新たな折筋部が前記シート縁部の他方からシート部の幅方向の中央部まで、あるいは幅方向全長に渡って設けられていることを特徴とする扁平な筒状メガホンＹ４が望ましい。
扁平な筒状メガホンＹ１あるいは扁平な筒状メガホンＹ２あるいは扁平な筒状メガホンＹ３あるいは扁平なメガホンＹ４において、前記所定の位置で胴部の縁部を形成する一対のシート縁部の他方上の所定の位置で離れた２点を通る切り込み線が、第１のシート部から第２のシートにまたがって設けられていることを特徴とする扁平な筒状メガホンＹ５が望ましい。
【発明の効果】
【０００６】
また本願発明では
（１）「ぺったんこ」になり携帯、保管に便利なメガホンが作れた。
（２）「ぺったんこ」になったメガホンがワンタッチで（ワングローブで）また小さな力で３Ｄの立体メガホンに拡開するメガホンが作れた。
（３）素材が変形しにくい板紙でも、小さな力でもスムーズに拡開するメガホンが作れた。
（４）「ぺったんこ」なメガホンを拡開するとき、指が置きやすいもの、指が滑りにくいもの、握りやすいものが作れた。
（５）メガホンを握った時シート部の表面が「つぶれにくい」もの（握る力が丈夫な折筋にのみふれるもの）が作れた。
つまり手の大きさ、指の長さに左右されない持ちやすいメガホンが作れた。
（６）メガホンの胴部の周縁部である「一方」が直線状であるので、メガホンの展開図を１枚の展開図であらわすことができ、メガホンの胴部の２枚のシート部の接合が、展開図を「一方」の直線に沿って折り返すだけで、簡単に接合できる仕組みを考案できた。
（７）
工夫された折筋で設計された本願発明は、非常に拡開されやすい構造で、この「丈夫な折筋」や「衝撃を面で吸収する」シート面は、つぶれにくく、また拡開されたメガホンの内部空間は声の共鳴空間として、また「メガホンをぶつけたときにメガホン自体が発する音が共鳴する」拍子木としても最適である。
【０００７】
さてメガホンは立体形状のものが大半であり、利用者は立体形状のまま保持また移動することを強要される。よって非常に携帯するのに場所をとり個人の携帯保持移動に不便といえる。また大量保管に場所をとり不便といえる。
【０００８】
本願発明による「平状に折りたたまれた扁平状のメガホン」で、鞄等に入れる等、場所をとらない保持方法が可能で、またそのまま握りやすい形状（一方が直線でまた他方が一方の直線に向かって谷状の形状を持つ２つの直線で作られる握り部）の握り部を握っただけで扁平状のメガホンが立体状のメガホンに変化するメガホンをつくることが可能になる。
またちょうどＡ３およびＢ４に展開図が収まるように設計すると、片手で持てるちょうどいいサイズになり、持ちやすくなる。
また拍子木のように片手に１個ずつ両手で２個持てるようになる。また１個でも時便の手にぶつける拍子木、足にぶつける拍子木として使えるようにもなる。
【０００９】
また一方の辺が直線状であることで、メガホンの製作時、１枚のシートを一方の辺に沿って折り曲げるだけで「シートを接合する手間」が必要なくなり、メガホンの胴部の一方の辺が簡単に表裏をつなげることができ、「製作工程を簡略化」できる。
また他方の辺を直線状にしないで、所定の位置で一方の辺側に凸状に折れ曲がった形にすることで、「持ちやすいメガホン、拡開しやすいメガホン」にすることができる。
【００１０】
また本願発明では、メガホンだけでなく、２個をたたき合うと、音の共鳴し音を発する拍子木にもなり、また平状のまま手に持つと団扇にもなる。（１個でも可能である）
また円筒形の板紙のメガホンは、強く握ると、きれいな円筒形の表面が潰れる不安があるので強く握れない。また拍子木のように２個のメガホンをぶつけ合うと接した部分が円錐状のもっとも出っ張った単点であるので、ぶつかった力が単点にダイレクトに伝わり、メガホンの表面がへこむ原因になる。
一方、本願発明は拡開する時、折筋に沿って変形し、ぶつかる面は、シート部の「平状の面」あるいは「強化された折筋」そのものであるので、メガホンを他のものにぶつけても変形しにくい、壊れにくい。
【００１１】
また前述したが、本願発明のメガホンでは、一般に流通しているシート材、印刷機、抜き機の標準サイズに合わせられるようになっている、またその中でもメガホンの砲身が各サイズの短辺の長さにあわせられ、またメガホンの幅の４倍がちょうど各サイズの長辺の長さに合わせるように設計されていて、たとえばＡ３サイズ、またＢ４サイズ等、当該サイズの等倍がシート材、印刷機、抜き機として一般に普及していて、誰でも簡単に材料、機械を身近なところで調達して作成できるようにあえて設計されている。
【００１２】
さて、このような幾通りもの使い方のできる製品は、ユーザーがメガホン、拍子木、団扇、また日除け帽子（本願発明のメガホンを展開図の状態で頭に載せて日除けとする）等の複数のグッズを持ち歩かなければならない状況を、本願発明の扁平上のメガホンを扁平状に折りたたんだ状態で鞄等に入れて持ち歩き、また必要な時、そのまま「団扇」として、また持ちやすい握り部の口元を握って「メガホン」として、また薄い２枚のメガホンを握って立体化して２個の「拍子木」として利用できることで、大きく変え便利にすることになる。
【００１３】
本願発明は、オリンピックの大会カタログ、日程案内、試合会場案内の地図、オリンピック啓蒙カタログ、入場券等を印刷すると、大会の告知、ＰＲ、宣伝に非常に有効となる。例えば、薄くＡ４封筒に入るサイズ形状にすれば、例えば側面に入場券、大会参加後のアンケート面、大会参加後のはがきを切り込み線で表示することもできる
また組み立て方法を差し込み式等にして両面が印刷面になることで、一方の面を応援メガホン、また他方の面を宣伝面にする、たとえば表面をオリンピックの日本のチームの応援メガホンとして、裏面を日本の政界遺産、や日本文化の案内面として利用すると、日本国にとって海外からの観光客誘致に効果的な応援グッズができる。
【００１４】
またオリンピック等の大会参加の応援者も、複数のかさばる応援グッズをもつ必要がなくなり、身の回りが整理され、動きやすくなり、また軽快になる。
よって大会が混雑する場合でも、手荷物が少ないので、大会の終了時にも、会場から観客が退場するときに、身軽になり、出やすくなり、より便利になる。
また大会終了後にもしメガホンが捨てられていても、薄っぺらくして折り畳めるので、回収掃除がしやすくなる。
また板紙で作られていれば、エコで、資源回収も自治体が楽になる。また資源の再利用も可能になる。
もちろんこれは板紙以外で作られている製品を否定するものではない。エコ板紙のとくに優れた点を説明しただけである。
また板紙にＰＰを貼ると、メガホンの耐久性や雨対策として有効であり、また「ＰＰで保護されている」ので、丈夫で破れにくく、また繰り返し綺麗に使うことが可能となり、結果、「製品の寿命が延びるエコ製品」となる。
また板紙なので、オフセットで写真等も綺麗に印刷でき、オフセットの版代金も、プラスチックのシルク印刷や、グラビア印刷に比べて非常に安く、簡単に綺麗なメガホンが作れるようになった。
【００１５】
またオリンピック等、全国での大きなＰＲ等で自治体、および公共機関が作成するときにも、作成して準備保管するときの置き場所が増えることがなく、保管に場所をとらず、便利である。    
また厚さがほぼ１ミリ位の薄い板紙のメガホンでは長期大量保管に場所をとらず、非常に便利である。
【発明を実施するための最良の形態】
【００１６】
以下図面を参照しつつ、本発明の実施の形態について説明する。なお、各実施の形態は、説明の便宜上、簡略化されている。図面は簡略的なものであるから、 図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した 場合を前提として用いるものとする。
【００１７】
＜実施例１＞
図１０には、特許文献５に似た、胴部の２辺が直線状で扁平状のメガホンが扁平状にされた図が描かれている。つまりこの図では下辺が直線状であり、上辺が左上から右下にむけ斜めの直線になっている。このメガホンも上辺と下辺を指で挟むとＭＭＭが湾曲して内部に空洞が生まれ、メガホンとしても利用できる。
【００１８】
しかし辺aa1aa2と辺bb1bb2を指で握った場合、斜辺状の辺bb1bb2においた指が滑りやすく、結果握りにくい。
また所定の位置（メガホンを持つ指を置く場所で口元部に近い場所）から口元部までメガホンの幅が口当て部に向かうにつれさらに狭くなり、持ちやすい口元部の開口部の大きさ（太さ）から口当て部がさらに小さくなる（細くなる）という問題が起きてしまう。
【００１９】
また斜辺状の辺bb1bb2の口元部の近くを指で挟んで拡開しようとしても、指の力が斜辺状の辺bb1bb2により「辺bb1bb2全体に均等に分散」されて、「メガホンの口元部だけでも先に集中的に拡開しようとしても、部分的に拡開はできず、」その結果辺bb1bb2全体に相当大きな力を加えないと拡開されにくい。
【００２０】
一方、図１１の場合は辺bb1bb2が、２つの互いに独立した辺bb1bboと辺bbobb2で構成されている。各々の独立した辺はそれぞれメガホンを握ろうとする力に対して、辺bb1bb0と垂直方向、また辺bb0bb2と垂直方向の、角度の異なった方向への力（bb1bb0Ｔ、bb0bb2Ｔ）に向かわせようとする。
さて端点bboは辺bb1bb0の右側端部である。よって辺bb1bb0の中央部に指をおいてメガホンを握った時より、右側端点bb0に指を置いて握った時のほうが端点bb0に加わる力は大きい。
理由は（常識でわかるとは思うが）辺の中央部に指を置いたとき力が辺全体に分散し、（指を置いた真下に加えられる力が辺全体に分散されて）、部分に加えられる力が辺の長さにより等分されて部分に加えられる力が弱くなるということだと思われる。
【００２１】
また同じことが辺bb0bb2のばあいにもあてはめられ、結果所定の位置（つまり辺bb1bb0の所定の位置寄りの端部と辺bb0bb2の所定の位置寄りの端部）に加えられた力が、所定の位置を挟む２辺の端部（所定の位置側）に集中して加えられ、「所定の位置がまず全体より優先されて拡開されやすくなる」ことだとも思われる。
よって、図１０より図１１のほうが「所定の位置（端点bb0）に加えられる力」が集中して大きくなる。
【００２２】
またシート面は所定の位置（端点bb0）を境に一端部側で「辺bb1bb0と辺aa1aa2の間のほぼ中間線を中心に」膨らみ変形しようとする。
またシート面は所定の位置（端点bb0）を境に他端部側で「辺bb0bb2と辺aa1aa2の間のほぼ中間線」を中心に膨らみ変形しようとする。
つまり図１１のメガホンを挟みこもうとする力は、シート面を「２本の角度の異なる中間線」を中心に膨らみ変形しようとする。
当然このシート面を膨らませ変形させようとする力は互いにぶつかり合い、メガホンのシート面を複雑に変形させようとする。
また所定の位置に指を置いて拡大開させようとする力は、メガホンの胴部の中で、口元部近くの「所定の位置」に最も力が加わり、口当て部にはさほど力が加えられない（力が伝わりにくい）。つまり端部bb2は所定日ほどあまり拡開されない。
よって所定の位置（bb0）を強く握ると端点bb2が辺aa1aa2に近付かず、いわゆる端点bb2だけが拡開する動きから取り残されて。いわゆる取り残されて「浮き上がる」形になる。
その結果が図１４のbb2である。
端点bb0より、端点bb2が少し浮き上がっているのがお分かりいただけると思う。
この浮き上がりが、また「口元の開口部aa2bb2の長さが少しでも広く取れる」といういい効果を生ませる。
【００２３】
さて図１１のばあいでは、シート部が極端に柔らかい素材であれば拡開する。
ただし本願発明では、「どんな素材でも（たとえば硬い板紙等でも）常に拡開しやすくなる方法」も加えて発明したい。
【００２４】
特許文献５の場合はメガホンの幅（aa1bb1やaa2bb2の長さ）が極端に長くそれに伴いシート部が変形しやすい条件になっている。
ただし特許文献５の場合は拡開するたびに、口元部とメガホン先端部の少なくとも２か所を手で握らなければならないという条件（面倒な作業）がつく。
また一度拡開した後、扁平な２折りの状態に戻ってしまうと、また同じ拡開するための力を加えなければならず、力のいる作業になる。
（その点、本願発明の折筋があるものは、最初だけ折筋を折る力が必要であるが、一度折筋に折癖がつくと、次回の拡開はさほど力がいらない。）
【００２５】
つまりこの面倒な作業を解決するものが、本願発明で「シート部に入れられる先端部から後端部（口元部）まで入れられる折筋」である。
【００２６】
図１７では、ちょうど「辺bb1bb0と辺aa1aa2から等距離にある中間部」と「辺bb0bb2と辺aa1aa2から等距離にある中間部」に「折筋」が入れられている。
この折筋は、シート面がメガホンを握る力により膨らみ変形しようとする力を助けシート面が折筋に沿って変形することを最も助ける。
よって板紙のように硬いシート材でも、少しの力でシート面が変形しやすくなる。
【００２７】
この折筋は、シート部が変形しようとする力にあわせて「シート部が折筋に沿って簡単に折られる」ので非常に有効である。
【００２８】
この折筋はメガホンの全体形状に合わせた効果的な折筋を設計しておけば、前記極端にやわらかいシート素材に限定しなくても、たとえば板紙のような少し硬直的な素材でも、またシート面の幅が狭いときでも拡開するための補助機能となる。
【００２９】
図２０のcc0のようにまずcc0が「メガホンの外側に向かって」せり出せば、その他の折筋は手作業で順にメガホンの外側に向かってせり出させればいい。
【００３０】
このせり出す原理は、点bboから辺aa1aa2に向けて押す指の力が、角度の異なる折筋cc1cc0と折筋cc0cc2に同時に働き、特に折筋の交点cc0では、折筋cc1cc0と折筋cc0cc2に沿ってシート面が変形しようとする力が、「折筋の交点cc0がメガホンの外側に向かってせり出すという変形」で帰着することになる。
この「変形」は、実は他方の辺が、一端部から他端部まで直線状であっても変わらない。どのような形状であっても、このcc0があれば変形（せり出し）する。（実施例２として後述してある。
実はこの折り曲げられた形状の（辺aa1aa2に向かって凸状に折れ曲がっている）折筋こそ、一面では重要な要素ともいえる。
しかし、この判断は、「他方の辺が所定の位置で一方の辺側に折れ曲がっていること」の「効果」を否定するものではない。
「他方の辺が所定の位置で一方の辺側に折れ曲がっていること」は、所定の位置に指を置き、メガホンを握ると「メガホン全体ではなく、所定の位置に集中してメガホンを握る力が加えられる」という効果と、また「メガホンを他方の辺の所定の位置に指を置きやすい、置いた指が滑りにくい」という効果を当然伴うものである。
【００３１】
さて、シート面が折筋cc1cc0と折筋cc0cc2が折り曲げられることを通して、所定の位置の折筋の点cc0が図から見て手前にせり出すというこのせり出す様子はメガホンの右側面図にもよくあらわされている。
偶然本願発明では図１７の折筋を入れて発明の確認ができたが、最適な折筋の設け方は、端点cc1から端点ccoまでの折筋と、また端点cc0から端点cc2までの折筋であろう。この折筋は一方の辺aa1aa2と他方の辺bb1bb0と同じく他方の辺bb0bb2のちょうど中間線と同じになっている。
この「中間線の発想（点cc1と点ccoまた点cc2の位置を特定することになりるが）」は、一端部の開口部（声の出ていく場所）と他端部（声を入れる場所、いわゆる口元部）が拡開すると「その形状が正方形になる」という結果を同時にもたらす。
この「正方形」に近くなるということが、本願発明での折筋に沿った拡開メガホンでの「メガホンとしての機能」を大きく高めるという考えもできる。（声の共鳴空間での反響が最も適切になると推測する）
おそらく、メガホンに吹き込んだ声が「メガホンの内部空間の壁」に反響しながら、増幅して、メガホンを向けた方向に「まとめられて」出ていくわけであるが、この正方形に変化するということが、「本願発明のメガホンの拡開する時の変わる姿」として、「もっとも内部空間が拡大する姿」ではないかと思う。
またこの正方形に変化した姿が、メガホンを外から見たときの「姿」として最も美しいとも思う。
さてさて、私は「この中間線以外の折筋の効果」を否定するものではない。
あくまでも理想形を述べたものである。
【００３２】
本願発明の流れをまとめると、最初に「２つの独立した働きをする他方の辺の所定の位置に指を置いた指の力がメガホンの所定の位置に集中して加えられるので、メガホンの所定の位置での拡開が他の部分に優先して実施される。（所定の位置でのメガホンが他の位置に比べて優先的にへこむ）」
次に「所定の位置で一方の辺側に折れ曲がった折筋の存在で所定の位置での拡開がスムーズに行われる。」という流れである。
【００３３】
また後述する実施例２では、「所定の位置で一方の辺側に折れ曲がった折筋の存在で所定の位置での拡開がスムーズに行われる。」次に実施例１の「２つの独立した働きをする他方の辺を設けることで、所定の位置に指を置いた指の力がメガホンの所定の位置に集中して加えられ、また重ねて指が起きやすく滑りにくくすることで、メガホンの所定の位置での拡開がより一層スムーズになされやすくなる。」という流れでもある。
【００３４】
また次の要素は「所定の位置以外のメガホンの他の部分は「後から手作業でも折筋に沿って拡開させる」ことでメガホン全体を拡開させることである。
すると次回以降に、メガホン全体が所定の位置に指を置いて拡開させるとメガホン全体がスムーズに拡開される。
【００３５】
さて特許文献５の「窪み」の発想は、メガホンに穴をあけるということから生まれる欠点も同時にあわせもつ。しかも特許文献５では「窪み」が２個もある。
この２個あるということは「メガホンを握る指の位置を２か所も強制的に指示する」ということである。
【００３６】
本願発明では、まずこの「窪み」の必要性は特別な場合を除いて基本的に必要はない。
「窪み」をもうけることが有効な場合もあるが、基本的に他方の辺を図１１のような状態にすれば、この「窪み」は必要ない。
窪みの必要性は本願発明の特別な場合における２次的必要性に過ぎない。
ただし本願発明でもこの「窪み」がどうしてもほしいという方にはその希望を否定するものではない。
【００３７】
またこの窪みの発想は所定の位置のシート材が特に柔らかく、また辺bb1bb0と辺bb0bb2が接合方法で特定の両面テープ等の接着素材で「特定のシート部分の接合部が特に硬くなり」「特に辺bb1bb0や辺bb0bb2と所定の位置でのシート材との硬さに大きな差がある場合」にも同様の効果がいえる。
また図２８のような「接合部を差し込式の組み立て方法」にした時、「辺bb1bb0と辺bb0bb2が分離」されていて、また重ねられた部分が強固で、所定の位置が重ねられた部分と比較して柔らかくなる場合にも同様の効果がいえる。
このような場合、所定の位置に加えられる拡開させようとする力が、メガホン全体に均等に加えられることはなく、特に所定の位置側に集中して加えられるという効果も併せ持つ。
【００３８】
図１１には、本願発明の正面図と右側面図が記載されているが、上辺の端点bb１より端点bb2を結んだ上辺が、点bb0で折り曲げられていて、また辺bb0bb2が辺aa1aa2にほぼ平行であるので指（たとえば人差し指）を点bb0におくと「安定して指を置きやすく」、図１４に示されるように指に力を入れると点bb0が辺aa1aa2に近づき、ちょうど点bb0が更に辺aa1aa2に近づき、ちょうどさらに深い谷間にあるかのように変化する。
【００３９】
つまり辺bb0bb2は辺aa1aa2と平行でなくても、つまり具体的には図１１−４に向かって辺bb0bb2がもし右下がりになっていても、「辺bb1bboと辺bb0bb2が同じ直線上になく、辺bb1bboと辺bb0bb2が独立した運動機能を持つ辺であれば」、つまり図１１−４のようになっていれば、つまり点bb0に指を安定して置ければ、また安定してメガホンを挟みやすくなり、また強く握りやすくなりメガホンが拡開されやすくなる。
【００４０】
本願発明では、メガホンの胴部の周縁部の他方の所定の位置の近くに１本の指を置くことがベストであると思われるが、メガホンの他の指の置く位置は限定されない。
というのが、メガホンの胴部の周縁部の一方な直線状であるので、どの位置に手や指を当てても構わない。手の大きさ、指の大きさに関係なく、メガホンの胴部の周縁部の他方の所定の位置の近くに１本の指を置きさえすれば、どんな人でも自由に持ちやすい方法でメガホンを握ることが可能である。
【００４１】
ただし本願発明でも、窪みをあえて設けることで窪みが２個あったほうがいいという方もいるだろう。そういう人にはそれで構わない。
【００４２】
一方、bb0bb2が右上がりになっていると、屈折点に指をもともと置きやすく、また力を入れて握るとさらにbb0bb2が右上がりになり、一層メガホンを握りやすくなる。
【００４３】
一方、本願発明の「シート面に折筋が設けられたもの」は、たたいた面が基本「フラットな平面」で、「面全体で対象物にぶつかる」ので、「衝撃が面全体に分散され」壊れにくい。曲面のように１か所の凸点が対象物に単点としてぶつかるわけではないので、丈夫である。
また折筋もきれいに円筒形になったシート面（曲面状）より丈夫である。
もともと、本願発明では、「シート面を持つ」ことはない。指が触れるのは折筋で構成されるメガホンの胴部の周縁部（一方と他方）である。
【００４４】
この折筋の位置の設定は、一般に板紙等のシート材に紙目があり、本来その紙目の影響を受けるが、あえて本明細ではその影響も配慮して「ほぼ中間線」と記載した。
ただし図１８等の折筋cc1cc2の拡開されやすい効果を否定するものではない。
またこの図２０のばあい、所定の位置bb0が拡開されることで一方の辺側に近づく（沈む）が、ある一定のところでその「沈み」は止まる。
これは折り曲げられた他方の辺や、また折り曲げられた折筋がそれぞれメガホンを辺（折筋）に沿ってシート面を変形させようとする力のぶつかり合いで、一定の高さで翔帝の位置の「沈み」は止まるのである。
これは、所定の位置に指を置いてメガホンを握った時、指が止まるので、「握った手ごたえ」を消費者（ユーザー）に与える。
【００４５】
一方、メガホンを握った指が下までくっつくくらいペッタンコになると、非常に持ちにくくなり、また握りにくくなる。途中で「メガホンがつぶれないように」という神経を消費者（ユーザー）に強要し、使いづらくなる。
それを配慮して折筋等のメガホンの設計をするべきであろう。
【００４６】
本願発明の図２８は、たとえば菊版に４面取れて、また握る部の太さ、拡開したときの変形する形等、すべてがバランスよく設計された展開図である。
またこの差し込み式は、２折りにすると、ほぼ角２の封筒サイズに収まり、また両面印刷にして、表面中面等のリバーシブル利用が可能で、優れた設計である。
【００４７】
図２４、図２６には本願発明のbb0からcc0まで、あるいはbb0からaa0まで縦に入れられた折筋が設けられている。当該折筋により、上辺のbb1bb0とbb0bb2によってシート面が分断され、つまり湾曲する面が分断され、分断されたおのおののシート面の湾曲形状に従い、おのおの単独で湾曲しやすくなることを助ける。つまり胴部のシート面が折筋に沿って折られて変形する、つまり立体化することを助ける存在となる。
【００４８】
図２８には本願発明の図２４および図２６で示されたメガホンが１枚のシートにひろげられた展開図が示されている。当該展開図は図１と異なり、つまりシートの接合方法が接合辺を接着することにより作られる扁平状のメガホンとは異なり、差し込み用の舌片を利用した組み合わせ方法でつくられるメガホンである。
【００４９】
当該方法であると、ユーザーが自分で組み立てる方法であるので、ユーザーに配布するときは展開図の状態を２折にして図ｐｐのように配布すると、組み立て方法が表に見えてユーザーがわかりやすい。
【００５０】
つまりユーザーは２折にして配布されたメガホンの裏面の一部である組み立て方法を裏返さなくても直接見ることができメガホンの組み立て方が直接見えて便利である。
【００５１】
この差し込み用の舌片を利用した方法だと、たとえば表面をスポーツチームの名前として利用し、そして裏面にスポーツチームにかかわる宣伝面、またはスポーツチームを管理する企業のＰＲ面として利用すると、メガホンを２折りにしてＰＰ袋に入れると、差し込み面の裏面が見えて（図２８−１）具体的にメガホンの組み立て方が２８−１−５の場所に表示されて、消費者にメガホンの組み立て内容がわかりやすく、非常に効果的である。
【００５２】
またたとえば、国体等において表面を各県のスポーツチームの名前を入れたスポーツメガホンに、また裏面を各県のＰＲを印刷することも可能となるし、またたとえばオリンピックにおいて、表面を日本のチームの応援メガホンとして、また裏面を日本の文化を紹介する（世界遺産、産業、観光地）ＰＲ面として利用する方法もある。
【００５３】
また当然表裏をリバーサルとして、表面を青を主体としたメガホン、また裏を赤を主体としたメガホンとしてユーザーが使い分けられる方法で利用できるように用意すると、学校の青赤の対抗運動会とか２色を使った人文字とかアイデア次第で使い方が大きく広げられることになる。
【００５４】
また日本の国体等においても、各県の観光地、産業技術を裏面（中面）に印刷し、また表面に県のスポーツチームを応援するための応援メガホンとすれば、このメガホンを大会開催地で一般ユーザーに配り、応援してもらうことで、県の観光地、産業技術のＰＲとして大きく役立つ。
【００５５】
また二本の拍子木を２個結び用に作られた穴で結ばれている様子がよくわかる。
図３１は具体的に拍子木として手に持ったイメージが示されている。この時、一度立体状に折癖がつくと、自然には扁平状に戻りにくいので、常に力を入れて握っていなければならない訳ではなく、よって手は疲れない。
【００５６】
図３２にはメガホンを紐用の穴で紐を通し、首等にかけられるようにされた様子が示されている。
この場合、たとえば首に下げながら食事をする場合、通常のプラスチック等のかさばるメガホンだと、非常に邪魔になるが、本願発明の場合、二折に薄く畳んで首に下げられるので、邪魔にならない。
また板紙のように軽い場合、折り畳んでいると薄いし、またかさばらず邪魔にならなく便利である。
【００５７】
図３３と図３４に、扁平状のメガホンが団扇として利用される際にメガホンが手に持たれている様子が示されている。本願発明の薄く畳まれたメガホンが団扇として利用される様子がよくわかる。
【００５８】
このような図３０、図３１、図３２、図３３及び図３４から本願発明が最低でも３種類の利用方法として使われ、非常に便利なものであることがよくわかる。
図３５および図３６に、図１１と図１０のメガホンを握った状態の図として重ねて示した。
図３６に比べて図３５のほうが手が滑らず持ちやすい状況がよくわかる。また人差し指を置いた部分に握る力が他の部分に比べてよく伝わり、よく拡開することがよくわかる。
【００５９】
本明細の為の図１６−１、図１６−２、図１６−３、図１７−１、図１７−２、図１７−３等はすべて本願発明がうまく機能することを説明するための説明図である。
また他の図も屈折点bb0がある図は、本願発明がうまく機能することを説明するための図である。
【００６０】
特に図１７−３では、一端部から他端部まで折筋が二本設けられている。この場合でも本願発明の機能には問題ない。指で挟み握ることで問題なく拡開される。
【００６１】
ただし小生は図１７のほうがもっとも美しく拡開されると思う。
また図２４や図２６のほうがもっと美しく、もっときれいに、もっとスムーズに拡開されると思う。
【００６２】
＜実施例２＞
本実施例での説明では、実施例１で使った図もそのまま説明図としても利用できることとする。また類似する機能は実施例２の機能効果としてもそのまま適用することとする。
【００６３】
図３７には、メガホンの胴部の周縁部aa1aa2と辺bb1bb2がともに直線状になっている。
また所定の位置に窪みbb01bb02が辺bb1bb2上に設けられている。よって、本願発明の実施例１とほぼ同じ効果を持つ。ただし声漏れ等の問題は残る。ただし窪みが１個なので、まだ問題は回避される。（辺aa1aa2上の所定の位置に窪みが設けられる場合は、実施例１で指摘した問題があるが、この胴部の形状では全く窪みがないよりまだいい。それなりの効果のある方法である。またこの窪みである切り込み線はメガホン胴部を形成するシート部両面にわたり設けられていて、メガホンのこの窪みはいわゆる「穴」となっている）
また折筋cc1cc2が胴部のシート面上に設けられている。
この折筋が大切である。
メガホンの所定の位置に指を置いて、拡開すると、無理なく拡開する。
【００６４】
図３８には図３７に加えて、折筋cc1cc2が所定の位置で辺aa1aa2側に折れ曲がっている。よって、所定の位置に指を置いてメガホンを拡開すると、図３７の場合よりも、メガホンの所定の位置がメガホンの外側に向かって広がり拡開する。この説明は実施例１において説明されている。
【００６５】
図３９は図３８の点bb2が下にさがっている。つまり辺bb1bb2が所定の位置で辺aa1aa2とは反対側に折れ曲がっている。このままの状態であると、図３８の窪みのない状態よりもっと所定の位置で持ちにくい。所定の位置で自分の指に向かって折れ曲がった折り曲げ点が、持つ指に痛くよくない。ただしこの図３９にも所定の位置に窪みbb01bb02がある。この窪みに指を置くと、「指が痛い」という弱点は回避される。
また図３９には図３８と同じように折筋cc1cc2が備えられている。
よって図３９は図３８と同じように拡開する。また図３７の折筋の場合でも同じように拡開する。
【００６６】
結局、実施例２で申し上げたいのは、「メガホンの胴部シート部上に設けられた折筋を主とした効果」である。「所定の位置（メガホン握り部）において一方の辺（aa1aa2）側に折れ曲がった折筋」が「前記所定の位置で、メガホンの外側に拡開しやすい」という事実と、さらに実施例１で示した「メガホン胴部の他方側で、さらに一方の辺側に折れ曲がった形状のメガホンの所定の位置でのメガホンを握りやすさ」等を加味して、もっと拡開しやすく便利なメガホンとすることを述べたものである。
図４０に個の内容を示す図が示されている。
またこの実施例２で述べた内容は、前記課題を解決するための手段に具体的に記述してある。
【００６７】
本発明の実施の形態は、上述したものに限定されない。形状は任意であり、キャラクターを抜いた複雑な形状でもかまわない。材質も紙に限定されない。プラスチックの様なものでも構わない。材質が湾曲すればステンレスのような金属素材でも構わない。
また折筋が設けられるものであればどんな材質でも構わない。折筋に変わる機能を備えるものであれば、湾曲しない硬質素材でも構わない。要は２折に薄くできて、本願発明の拡開できる機能で立体状に変化する機能を備えていればどんな素材でも構わない。鉄板でも構わない。
【００６８】
また作られる製品はメガホン、拍子木、団扇に限られない。拡開する形状の意外性、またコンパクト性を利用した容器、たとえばポップコーン容器にしてもかまわない。食事等のあらゆる容器でも構わない。また重機等にこの構造を利用しても構わない。
また一握りで３Ｄに変化する機能を利用して、変化した３Ｄの形状を利用した支え台、またマジック用品（手品用品）でも構わない。本願発明の機能を利用したすべての製品でも構わない。
【００６９】
説明図はメガホンを右持ちの人の使用例で説明されているが、左持ちの人の場合にもその効果は同じである。また説明された使用方法以外の使い方をした場合でも構わない。折筋は好みによって増やしてもかまわない。
折筋が、縦横交差していてもかまわない。また折筋が斜めになっていてもかまわない。任意である。
【００７０】
また、使用目的も、団扇、メガホン、拍子木に限られない。
選挙の法定ビラで発明の形状を利用してもかまわない。
選挙ポスターでもかまわない。選挙用のぼりでもかまわない。
図面は類似の図面の記号は略すことにする。類似の図面の変化内容がわかりやすいためである。
よって、記号表示のないものは同一サイズ、同一内容の他の図面を見比べてほしい。
【００７１】
第２の局面では
「発明の名称」ワンタッチ３Ｄメガホン
「技術分野」
「０００１」
本発明は、メガホンおよび拍子木およびうちわに関する。
「背景技術」
「０００２」
従来からメガホンに関しては、様々な観点から改良が重ねられている。（特許文献１乃至２乃至３参照）。特に、近年においては、省電力、エコが日常生活のあらゆる場面で求められることもあり、この点を考慮したよりユーザーフレンドリーなエコ製品の構造を消費者に提案することが強く望まれている。
またプラスチックでできた円筒形状に固定化されたものは従来からあるが、形状が円筒形で持ち運ぶのに場所をとり、不便でハンディーでない。
メガホンが薄い２折形状で持ち運びに場所をとらず便利で、また口元近くを押すと、ワンタッチで３Ｄのメガホン形状に簡単に変化し、またすぐに２折形状になり、持ち運びに場所をとらずするものを求めたい。
また、メガホンと同時に、うちわや、拍子木にも利用できるものを求めたい。
「先行技術文献」
「特許文献」
「０００３」
「特許文献１」特開２０１１−２３７８３５号公報
「特許文献２」特開２００３−２９２０６３号公報
「特許文献３」特開平１０−３９８７２号公報
「発明の開示」
「発明が解決しようとする課題」
「０００４」
メガホンが薄い２折形状で持ち運びに場所をとらず便利で、また口元近くで押しやすい位置形状の部分を押すと、ワンタッチで３Ｄのメガホン形状に簡単に変化し、またすぐに２折形状に戻ることが可能で、持ち運びに場所をとらずにするものを求めたい。
「０００５」
団扇、メガホン、拍子木等の利用ができて、更に携帯性のいいものでワンタッチで形状変化するものを作りたい。    
「課題を解決するための手段」
「０００６」
シートを打ち抜くことで構成され、折筋で連結された先太りの先端部側面の４面と当該４面に折筋が連結する先太りでない小さな口元部側面の４面を持つシートで、当該シートがさらに先端部から口元部までつながる折筋同士を重ねた筒状の形で、先端部側の端側面と口元部側の端側面が共に空洞になっていることを特徴とする筒状メガホンＡが望ましい。
筒状メガホンＡにおいて、先端部側の折筋と口元部側の折筋との接続点同士を折筋で結んだ形状を持つメガホンＢが望ましい
筒状メガホンあるいはメガホンＢにおいて、先端部側周縁部が凸状の曲線であることを特徴とする筒状メガホンＣが望ましい。
筒状メガホンＡあるいは筒状メガホンＢあるいは筒状メガホンＣにおいて、口元部が折り返しになっていることを特徴とする筒状メガホンＤが望ましい。
筒状メガホンＡあるいは筒状メガホンＢあるいは筒状メガホンＣあるいは筒状メガホンＤにおいて、当該メガホンが、うちわや拍子木等にも利用できることを特徴とする筒状メガホンＥが望ましい。
「発明の効果」
「０００７」
メガホンは立体形状のものが大半であり、利用者は立体形状のまま保持することを強要される。よって非常に携帯するのに場所をとり個人の携帯保持移動に不便といえる。また大量保管に場所をとり不便といえる。
「０００８」
本願発明により、「平状に折りたたまれたメガホン」の保持方法が可能になり、またそのまま「ワンタッチでメガホンに３Ｄ化」することが可能になり、つまりワンタッチで口元付近の１箇所を押すことで「立体メガホン」になり、そのままメガホンとして使えるようになり、非常に使いやすく持ちやすく、握りやすくなる。
「０００９」
またこのメガホンの構造は、板紙を想定する場合、材質のひねりの力に対する変化に最適な反応をすると感じるが、プラスチック等の場合でもある程度薄くすることで、板紙と同じように材質への折筋にそった「ひねり」の力に最適な反応をする場合がある。
この動きの基本は、材質に「ひねりの力」を加えることで、ひねりの力に耐える「面」の力と、ある一定程度面が耐えうる力を超えた場合、棒折筋の「１方向性に限定された開閉方向」に力が流れ、「面が反発するように」「はじける」ことから「ジャングルジムのように」設計構成された計算式で「薄い２枚の板紙が」突然折筋に沿って立体化することが主な特徴である。
私は、この変化を、口元部の１点を指で押さえることで、一種でばねのように立体変化するメガホンを開発したのである。
「００１０」
さて厚手のプラスチックの場合でも、折筋の構造をある程度「ゆるく、柔軟にする」ことで、板紙と同じような「ひねり」に柔軟に「折筋が対応できる」メガホンとなる。
「００１１」
この構造の基本は、折筋と材質面に加えられる１方向の力に対し、「折筋の１方向への回転方向性」と材質面の「現状復元性」のバランスによる設計である。
つまり、材質の内容、厚さにより、メガホンの立体の全体形状が決まってくるので、材質の内容、厚さ、折筋の設定内容で検討しなければならない。
「００１２」
またこのメガホンを、メガホンとしては当然、拍子木として、またうちわとしても使うことが可能となる。また他の使い方を拒まない。
このような幾通りの使い方のできる製品は、オリンピックの大会カタログ、日程案内、試合会場案内の地図、オリンピック啓蒙カタログ、入場券等を印刷すると、大会の告知、ＰＲ、宣伝に非常に有効となる。例えば、薄くＡ４封筒に入るサイズ形状にすれば、例えば側面に入場券、大会参加後のアンケート面、大会参加後のはがきを切り込み線で表示することもできる。
「００１３」
また大会参加の応援者も、複数のかさばる応援グッズをもつ必要がなくなり、身の回りが整理され、動きやすくなり、また軽快になる。よって大会も人に混雑する場合でも、手荷物が少ないので、大会の終了時にも、会場から観客が退場するときに、身軽になり、出やすくなり、より便利になる。
また大会終了後にもしメガホンが捨てられていても、薄っぺらく畳めるので、掃除作業がしやすくなる。
また板紙で作られていれば、エコで、資源回収も自治体が楽になる。
「００１４」
またオリンピック等、全国での大きなＰＲ等で自治体、および公共機関が作成するときにも、作成して準備保管するときの置き場所が増えることがなく、保管に場所をとらず、便利である。また薄い１ミリくらいの板紙のメガホンは、長期大量保管に場所をとらず、非常に便利である。
「発明を実施するための最良の形態」
「００１５」
以下図面を参照しつつ、本発明の実施の形態について説明する。なお、各実施の形態は、説明の便宜上、簡略化されている。図面は簡略的なものであるから、 図面の記載を根
拠として本発明の技術的範囲を狭く解釈してはならない。図面は、もっぱら技術的事項の説明のためのものであり、図面に示された要素の正確な 大きさ等は反映していない。同
一の要素には、同一の符号を付し、重複する説明は省略するものとする。上下左右といった方向を示す言葉は、図面を正面視した 場合を前提として用いるものとする。
「発明を実施するための形態」
「００１６」
まず今回の重要な発明である団扇としての使い方の中の、メガホンが使わないとき２折のぺったんこ形状であることが重要である。
このことは前述したが、かばんの中に薄く折りたたんだメガホンが収納することが可能となり、また服のポケットに薄く折りたたんだメガホンを収納することが可能となり、携帯性に優れ、ぺったんこにならない、通常の立体化された形状のみのメガホンよりは使い勝手が非常によくなることはいうまでもない。
「００１７」
図１には、本願発明のメガホンの展開図が描かれている。
向かって上にはＡ１，Ａ２、Ａ３，Ａ４の先端部側側面（４面）部分と、下にＢ１，Ｂ２、Ｂ３、Ｂ４の口元部の小さな側面（４面）とさらに下に口元部の安全のためにもうけられた半円折り返しがＣ１，Ｃ２、Ｃ３、Ｃ４とある。
この半円はメガホンの筒の中に折り返す構造である。
またＤ１，Ｄ２とメガホンを筒状にするためのノリシロが設けられている。
このノリシロは「差し込み式」にすることも可能である。
「００１８」
特筆することは、a3からa13までが直線になっていて。この直線を折り曲げ線とすると、
左右対称の展開図はきれいに２折にできる。
つまり折り曲げるとぺったんこの薄い２折カートンになる。
つまりこのメガホンはぺったんこの２折になり、持ち運びに薄くて、かばん等にもきれいに入る。またポケットにも入れられる。
「００１９」
この２折にした状態を示したものが図２である。
口元部半円をメガホンの中に折り返したものが図３である。
通常の断裁面では、口が切れる場合がある。一方、折り返し部であれば、口に当てても切れる心配はない。
「００２０」
図４には、図３を左９０度回転させた図が左側に、またそれを右端側面から見た図が右側に記されている、
「００２１」
図４のa6の部分を上から押さえた状況が描かれている。
この押さえる前のa6の位置がp2として、抑えた後のa6の位置が図５のp22として記されている。
このとき、右側端側面から見た図が、右側の図に示されているが、この端側面には、ほぼ四角形（縦のひし形）に開いた口元部が示されている。
「００２２」
この口元部には図１の展開図における半円部、c1、c2、c3、c4がメガホンの筒状の内部に折こまれている。
「００２３」
本来このメガホンは、２つに折られた１枚のシートが、折筋を組み合わせることで作られている。
それぞれ異なる折筋の合成体であるが、異なるそれぞれの折筋の端部は、異なる折筋に加わる力の両方の永久を受ける。
その力の大きさ向きはそれぞれ異なる。
それらの力が異なる方向から与えられると、「ひねり」の力が合成され、その折筋を支える力は、各「面」の力である。
（図１のA1,A2,A3,A4,B1,B2,B3,B4等）
この異なる方向から加えられる「面」に対する「ひねり」の力を支える力は「板紙等の厚さ、紙目等の方向性」である。
「００２４」
図５のpを抑える力は、p22がp3より深く沈んでいることで表されているが、このときp22,q22には強力な力が働き、他の折筋の点や面の対抗力として支えられ、「均衡」が保たれ
ている。
「００２５」
この「均衡」以上の力をp22に上から加えると、各「面」及び「折筋」はその力に対して
「耐え切れず」その組織が「劣壊」する。
「００２６」
ただし、通常の軽い「指の力」等であれば、「劣壊」せずに、直前の「折筋」に沿ったメガホンの「変形」（薄い２折の平ぺったいシートから折筋に沿って、メガホンの３Ｄ化）として、「メガホンの内部の体積の膨張」として現れる。
この変形して作られた内部の体積の膨張部分が、メガホンの「声の共鳴空間」「声の１方向性への発信」として利用される。
「００２７」
図６と図７には、a6の部分を右手の人差し指を当てて、下から親指の根元でメガホンをはさんだ様子が描かれている。
このとき、右手の人差し指は、p22としてp3より力を上から加えている分、下に沈んでい
る。
つまり持ち手の右手の人差し指は、a5,a10,a15と下方向にＶ字型の底部分に当てられているので、非常にホールドしやすい。
「００２８」
一方、図７は、面A1,A2,A3,A$のみのメガホンであるが、メガホン先端部から口元部に向
かって一方的に細くなっているので、図６の人差し指を当てている部分がＶ字型の底部分で安定しているのに比べ、口元側が細くなって、人差し指部を当てている部分が安定しにくい。
「００２９」
またこの図７の場合は、一般的に上から下方向に向かってメガホンを押すと、ぺったんこにつぶれることが多く、メガホンがもっともその力を発揮しやすい筒状の体積が大きくなる一瞬を神経を使いながら維持しなければならず、非常に使いにくいといえる。
「００３０」
一方、図６の場合は、ある程度人差し指を上から押さえると、一定の位置でそのまま下に下がらなくなるブレーキが働く。
よって計算された折筋の設計を行えば、最良の状態で、共鳴空間を最大にした状態で、神経を使わなくても、指を軽く当てているだけで保持できる。
「００３１」
また図６に示されるように、a5,a6には基本的に直接上からの力は加えられていない。
よって、メガホンの先端部は広く、高く保持されている。また口元部も直接力を加えられていないので口元部は広く保持されている。
「００３２」
まだ、a15がa10より位置が高いということは、メガホンの口元部が下向きで、一方メガホンの先端部は上を向いている。つまりメガホンの口元に対し、顔が下に向けてしゃべっても、メガホンを通して発される声は少し空に向かって上方向に出て行く。これはメガホンを通して発せられる声が下に向かって発せられるよりはるかに遠くまで声がとどくということが言える。
「００３３」
メガホン先端部より中間部に対して先太りの筒状４面の側面で構成され、中間部から口元部に対して細い筒状４面の側面で構成された筒状４面のメガホンが、左右から手で押すと、薄くひらぺったい２枚重ねに折畳むことができることで、一般に立体形状の「場所をとる」メガホンが、かばんやポケットに薄く収納でき、一方この薄ぺったい折りたたまれたメガホンの中間部の折り線の上部を上から押すことで、一瞬に先太りの２段の四角柱の側面に変化して、持ちやすい立体メガホンが作れました。
まさにふくろうが「びっくりして」細長く変化する様子、また心落ち着くと通常の常識的な「鳥」の形に戻る、いわば一瞬の忍者のような「変形」が可能となった、「マジック変形」のメガホン（「早技、マジックメガホン」）を作ることができました。
「００３４」
この「一瞬にして変化する様子」を図８及び図９に図示しました。図８は幾分左上から、図８は正面の上斜めから見た図です。これらには、図１の展開図の各記号をわかりやすく表示してあります。
私が申し上げたいのは、これらの変化が、手で持ちやすくまた指を置きやすいa6を人差し指等で押すと「一瞬にして行われる」ということです。これらの技術は、折線を複雑に組み合わせ「ひねりの効果を利用」していくことで、閉じたメガホンが一瞬にして最適な形で開く（３Ｄ化する）ということです。開くときの形状は、この「折線」の設計と、板紙の厚さ、強度、プラスチックの厚さ、強度等を計算して設計すれば、思うような変化形状の結果を得ることができます。
「００３５」
従来のメガホンは、立体形状のままで、薄くコンパクトに収納することができなかったので、持ち運びや保管場所に困ることが多いでした。
先太りの４面を利用した筒状メガホンを「角度の異なる２種類の折筋」を利用し、角度の異なる２種類の折筋の中間部（結合部）の上から指の力を加えることで、適度に安定した立体形状の筒状メガホンを一瞬で作成することが可能になりました。
「００３６」
本発明の実施の形態は、上述したものに限定されない。形状は任意であり、キャラクターを抜いた複雑な形状でもかまわない。材質も紙に限定されない。プラスチックの様なものでも構わない。説明図はメガホンを右持ちの人の使用例で説明されているが、左持ちの人の場合にもその効果は同じである。また説明された使用方法以外の使い方をした場合でも構わない。折筋は好みによって増やしてもかまわない。
折筋が、縦横交差していてもかまわない。また折筋が斜めになっていてもかまわない。任意である。
また、使用目的も、団扇、メガホン、拍子木に限られない。
選挙の法定ビラで発明の形状を利用してもかまわない。
選挙ポスターでもかまわない。選挙用のぼりでもかまわない。
「００３７」
図面は類似の図面の記号は略すことにする。類似の図面の変化内容がわかりやすいためである。
よって、記号表示のないものは同一サイズ、同一内容の他の図面を見比べてほしい。
【図面の簡単な説明】
【００７２】
【図１】本願発明の展開図である。
【図２】本願発明の展開図を２折にのりづけした図である。
【図３】本願発明の展開図を２折にのりづけした図で、糊付け部分がわかるようにした図である。
【図４】本願発明の展開図を２折にのりづけしたものを、端側面と比較した図である。
【図５】本願発明の展開図を２折にのりづけしたものを、端側面と比較し、さらに人差し指でp22を押した図である。
【図６】本願発明のメガホンを右手で握った図である。
【図７】一般のメガホンを右手で握った図である。
【図８】本願発明の２折状態の様子を左斜め上から見た図である。
【図９】本願発明のメガホンが一瞬にして開いた様子を正面斜め上から見た図である。
【図１０】扁平状のメガホンの正面図と右側面図である。
【図１１】本願発明の扁平状のメガホンの正面図と右側面図である。
【図１１−１】本願発明の扁平状のメガホンの正面図と右側面図である。
【図１１−２】本願発明の扁平状のメガホンの正面図と右側面図である。
【図１１−３】本願発明の扁平状のメガホンの正面図と右側面図である。
【図１１−４】本願発明の扁平状のメガホンの正面図と右側面図である。このときでもbb0の屈折点があるので持ちやすい。
【図１２】扁平状のメガホンが開いた状態の正面図と右側面図である。
【図１３】扁平状のメガホンが開いた状態の斜視図である。
【図１４】本願発明の扁平状のメガホンが開いた状態の正面図と右側面図である。
【図１５】本願発明の扁平状のメガホンが開いた状態の斜視図である。
【図１６】本願発明の扁平状のメガホンの胴部（上辺と下辺の間）に先端部から後端部まで直線状の折筋が入れられた図の正面図と右側面図である。
【図１６−１】本願発明の扁平状のメガホンの胴部（上辺と下辺の間）に先端部から後端部まで折筋が入れられた図
【図１６−２】本願発明の扁平状のメガホンの胴部（上辺と下辺の間）に先端部から後端部まで折筋が入れられた図
【図１６−３】本願発明の扁平状のメガホンの胴部（上辺と下辺の間）に先端部から後端部まで折筋が入れられた図
【図１７】本願発明の扁平状のメガホンの胴部（上辺と下辺の間）に先端部から後端部まで          先端部と後端部また上辺の屈折部の上辺および下辺の中間部を結ぶ直線状の屈折した折筋が設けられた図である。
【図１７−１】本願発明の扁平状のメガホンの胴部（上辺と下辺の間）に先端部から後端部まで折筋が入れられた図
【図１７−２】本願発明の扁平状のメガホンの胴部（上辺と下辺の間）に先端部から後端部まで折筋が入れられた図
【図１７−３】本願発明の扁平状のメガホンの胴部（上辺と下辺の間）に先端部から後端部まで折筋が入れられた図
【図１８】図１６が開いた状態の正面図と右側面図である。
【図１９】図１８の斜視図である。
【図２０】図１７が開いた状態の正面図と右側面図である。
【図２１】図２０の斜視図である。
【図２２】図１６の上辺屈折点から最寄りの折筋に向かって縦に折筋が入れられた図である。
【図２３】図１７の上辺屈折点から最寄りの下辺向かって縦に折筋が入れられた図である。
【図２４】図２２が開いた状態の正面図と右側面図である。
【図２５】図２４の斜視図である。
【図２６】図２３が開いた状態の正面図と右側面図である。
【図２７】図２６の斜視図である。
【図２８】本願発明の展開図であり、本願発明の一方の辺の接合が縦に一直線上に折筋として設けられていて他方の辺が差し込み式の接合方法になっている。
【図２８−１】本願発明の展開図であり、本願発明の一方の辺の接合が縦に一直線上に折筋として設けられていて他方の辺が差し込み式の接合方法になっていて２折した状態を示す図
【図２９】本願発明の展開図の２折図であり、裏面が飛び出した差し込み部分の突起部に組み立て方法の図を記載できるようになっており、２Ｄから３Ｄに変化する本願発明を知らないユーザーにもわかりやすい表示が可能である。
【図３０】本願発明のメガホンを内部が空洞の音響筒としての拍子木としての利用方法が図示されている。
【図３１】本願発明のメガホンを内部が空洞の音響筒としての拍子木を握った利用方法が図示されている。
【図３２】本願発明のメガホンの紐穴に紐を通した利用方法が図示されている。
【図３３】本願発明のメガホンを扁平状に閉じられたまま団扇としての利用方法が図示されている。
【図３４】本願発明のメガホンを扁平状に閉じられたまま団扇としての利用方法が図示されている。
【図３５】本願発明の屈折点のある他方の折筋を持つことで持ちやすい様子を表した図。矢印は指がメガホンを抑える方向を示している。
【図３６】本願発明の屈折点のない他方の折筋を持つことで持ちにくい様子を表した図。
【図３７】本願発明の実施例２の図。また窪みがある。
【図３８】本願発明の実施例２の図。また窪みがある。
【図３９】本願発明の実施例２の図。また窪みがある。
【図４０】本願発明の実施例２の図。また窪みがある。
【符号の説明】
【００７３】
a1：折筋の端部
a2：折筋の端部
a3：折筋の端部
a4：折筋の端部
a5：折筋の端部
a6：折筋の端部（折筋の交点）
a7：折筋の端部（折筋の交点）
a8：折筋の端部（折筋の交点）
a9：折筋の端部（折筋の交点）
a10：折筋の端部（折筋の交点）
a11：折筋の端部
a12：折筋の端部
a13：折筋の端部
a14：折筋の端部
a15：折筋の端部
A1：メガホンの先端部側面
A2：メガホンの先端部側面
A3：メガホンの先端部側面
A4：メガホンの先端部側面
B1：メガホンの口元部側面
B2：メガホンの口元部側面
B3：メガホンの口元部側面
B4：メガホンの口元部側面
C1：メガホンの口元部半円折り返し
C2：メガホンの口元部半円折り返し
C3：メガホンの口元部半円折り返し
C4：メガホンの口元部半円折り返し
D1：メガホンの重ね用糊付け部
D2：メガホンの重ね用糊付け部
aa1：一方の辺の先端部側の端部
aa2：一方の辺の後端部側の端部
aa0：一方の辺の後端部寄りの中間部
bb1：他方の辺の先端部側の端部
bb2：：他方の辺の後端部側の端部
bb0：：他方の辺の後端部寄りの中間部
cc1：先端部から後端部まで入れられた折筋の先端部側の端部
cc2：先端部から後端部まで入れられた折筋の後端部側の端部
cc0：先端部から後端部まで入れられた折筋の後端部寄りの中間部
aa1aa2：一方の辺
aa1aa0：一方の辺の先端部側の辺
aa0aa2：一方の辺の後端部側の辺
bb1bb2：他方の辺
bb1bb０：屈折した他方の辺における先端部側の辺
bb1bb00：屈折した他方の辺における先端部側の辺の後端部側の延長線
bb０bb2：屈折した他方の辺における後端部側の辺
aa1bb1：先端部側の開口部の周縁部
aa2bb2：後端部側の開口部の周縁部
cc1cc2：一方の辺と他方の辺の間に入れられた先端部から開口部まで結ばれた折筋
cc1cc0：一方の辺と他方の辺の間に入れられた先端部から開口部まで結ばれた折筋の先端部側の折筋cc0cc2：一方の辺と他方の辺の間に入れられた先端部から開口部まで結ばれた折筋の後端部側の折筋bb0cc0：他方の辺の屈折点bb0から最寄りの折筋cc1cc2の最寄りの端点cc0まで入れられた折筋
aa0cc0：折筋cc1cc2上の端点cc0から最寄りの一方の辺の端点aa0まで入れられた折筋。
ＭＭＭa：一方の辺と他方の辺を周縁部の一部とするシートで折筋cc1cc2で区切られた一方の辺側のシート部
ＭＭＭb：一方の辺と他方の辺を周縁部の一部とするシートで折筋cc1cc2で区切られた他方の辺側のシート部
ＭＭＭbs：一方の辺と他方の辺を周縁部の一部とするシートで、折筋cc1cc2で区切られ、さらにbb0から最寄りの折筋cc1cc2の端点cc0まで入れられた折筋で区分された先端部側のシート部ＭＭＭbk：一方の辺と他方の辺を周縁部の一部とするシートで、折筋cc1cc2で区切られ、さらにbb0から最寄りの折筋cc1cc2の端点cc0まで入れられた折筋で区分された後端部側のシート部ＭＭＭas：一方の辺と他方の辺を周縁部の一部とするシートで、折筋cc1cc2で区切られ、さらにcc0から最寄りの折筋aa1aa2の端点aa0まで入れられた折筋で区分された先端部側のシート部
ＭＭＭak：一方の辺と他方の辺を周縁部の一部とするシートで、折筋cc1cc2で区切られ、さらにcc0から最寄りの折筋aa1aa2の端点aa0まで入れられた折筋で区分された後端部側のシート部
28-1：一先端部から後端部までつながる屈折した直線状の他方の辺（折筋）
28-2：折筋
28-3：差し込み用舌片
28-4：後端部の周縁部（声を吹き込む開口部）
28-5：先端部の周縁部（声の出ていく開口部）
28-6：先端部から後端部までつながる一直線状の一方の辺（折筋）
28-7：紐穴
29-1: シート同士の重ね合わせ部
29-2: 一先端部から後端部までつながる屈折した直線状の他方の辺（折筋）
29-3: 先端部の周縁部（声の出ていく開口部）
29-4: 先端部から後端部までつながる一直線状の一方の辺（折筋）
29-5: シート同士の重ね合わせ部
29-6: 紐穴
29-7: 後端部の周縁部（声を吹き込む開口部）
28-1-1：折筋
28-1-2：紐通し穴
28-1-3：表面
28-1-4：組み立て説明図用裏面スペース
28-1-5：差し込み部（裏面）
28-1-6：表面
30-1：紐穴
30-2：紐
32-1: 紐穴
32-2: 首等に下げる紐
bb01bb02：シート部周縁部にシート部両面に設けられた切り込み線でありいわゆる「穴」である。
bb01：シート部周縁部にシート部両面に設けられた切り込み線の端点
bb02：シート部周縁部にシート部両面に設けられた切り込み線の端点
【図１】
2015163223.tif 000003
【図２】
2015163223.tif 000004
【図３】
2015163223.tif 000005
【図４】
2015163223.tif 000006
【図５】
2015163223.tif 000007
【図６】
2015163223.tif 000008
【図７】
2015163223.tif 000009
【図８】
2015163223.tif 000010
【図９】
2015163223.tif 000011
【図１０】
2015163223.tif 000012
【図１１】
2015163223.tif 000013
【図１１−１】
2015163223.tif 000014
【図１１−２】
2015163223.tif 000015
【図１１−３】
2015163223.tif 000016
【図１１−４】
2015163223.tif 000017
【図１２】
2015163223.tif 000018
【図１３】
2015163223.tif 000019
【図１４】
2015163223.tif 000020
【図１５】
2015163223.tif 000021
【図１６】
2015163223.tif 000022
【図１６−１】
2015163223.tif 000023
【図１６−２】
2015163223.tif 000024
【図１６−３】
2015163223.tif 000025
【図１７】
2015163223.tif 000026
【図１７−１】
2015163223.tif 000027
【図１７−２】
2015163223.tif 000028
【図１７−３】
2015163223.tif 000029
【図１８】
2015163223.tif 000030
【図１９】
2015163223.tif 000031
【図２０】
2015163223.tif 000032
【図２１】
2015163223.tif 000033
【図２２】
2015163223.tif 000034
【図２３】
2015163223.tif 000035
【図２４】
2015163223.tif 000036
【図２５】
2015163223.tif 000037
【図２６】
2015163223.tif 000038
【図２７】
2015163223.tif 000039
【図２８】
2015163223.tif 000040
【図２８−１】
2015163223.tif 000041
【図２９】
2015163223.tif 000042
【図３０】
2015163223.tif 000043
【図３１】
2015163223.tif 000044
【図３２】
2015163223.tif 000045
【図３３】
2015163223.tif 000046
【図３４】
2015163223.tif 000047
【図３５】
2015163223.tif 000048
【図３６】
2015163223.tif 000049
【図３７】
2015163223.tif 000050
【図３８】
2015163223.tif 000051
【図３９】
2015163223.tif 000052
【図４０】
2015163223.tif 000053